(57)【要約】【課題】本体ケースの撓みや振動の発生を小として循環ポンプを設けることができ、しかもコストを低減して小型化が可能となる給湯装置を提供する。【解決手段】加熱部で生成された湯を循環させる循環ポンプ１８を収容する直方体状の本体ケース６を、その最も短い辺が高さ方向となる姿勢で設置する。本体ケース６は、最も短い辺を有する矩形板状の４つの側板によって構成される四角筒状の胴部６０と、胴部６０の下面を閉塞する下面板６１と、下面板６１の上方に対向して胴部６０の上面を閉塞する上面板６２とを備える。循環ポンプ１８は、胴部６０を構成する側板のうち、最も水平方向の長さの短い側板６４の内面に連結して支持されている。【選択図】図４
2019015429.tif 000002
【特許請求の範囲】
【請求項１】
水を加熱して湯を生成する加熱部と、該加熱部で生成された湯を循環させる循環ポンプと、前記加熱部及び前記循環ポンプを収容する直方体状の本体ケースとを備え、前記本体ケースの最も短い辺が高さ方向となる姿勢で設置される給湯装置において、
前記本体ケースは、前記最も短い辺を有する矩形板状の４つの側板によって構成される四角筒状の胴部と、該胴部の下面を閉塞する下面板と、該下面板の上方に対向して前記胴部の上面を閉塞する上面板とを備え、
前記循環ポンプは、前記胴部を構成する側板のうち、最も水平方向の長さの短い側板の内面に連結して支持されていることを特徴とする給湯装置。
【請求項２】
請求項１記載の給湯装置において、
前記循環ポンプは、固定脚部を備え、
前記側板は、その内面に前記固定脚部を連結する連結構造体を備え、
前記連結構造体は、前記側板の内面に固定された矩形板状の台座部材と、前記固定脚部に取り付けて、前記台座部材に重合させる板状の重合部材と、前記台座部材に設けられ、前記重合部材の一側縁部と他側縁部との夫々を係止して保持する一対の係止保持部を備え、
少なくとも一方の前記係止保持部は、前記台座部材に着脱自在に取り付けられていることを特徴とする給湯装置。
【請求項３】
請求項２記載の給湯装置において、
前記台座部材は、該台座部材に着脱自在に取り付ける前記係止保持部を当接させる当接部と、該当接部に当接させた状態の前記係止保持部を該当接部に締結する締結部材と、前記当接部に当接させた前記係止保持部を、前記当接部に未締結状態で係止することにより仮止めする仮止め係止部とを備えることを特徴とする給湯装置。
【発明の詳細な説明】
【技術分野】
【０００１】
本発明は、湯を循環させる循環ポンプを備える給湯装置に関する。
【背景技術】
【０００２】
天井設置型の給湯装置は、本体ケースの最も短い辺が高さ方向となる姿勢で設置されるものがある。この種の給湯装置においては、湯を循環させるポンプが、本体ケース内の下面の一部を構成する固定板に固定される（下記特許文献１参照）。
【０００３】
上記従来のものでは、本体ケースの下面の一部を構成する固定板にポンプを固定するとき、先ず、本体ケースの天地を反転させて下面の開口を上方に向ける。次いで、下側に位置している天板上に仮置き台を取り付ける。続いて、反転姿勢のポンプを仮置き台上に載置し、前記固定板を取り付ける。その後、本体ケースの天地を戻して天井に取り付ける。
【０００４】
給湯装置の天井への設置状態では、ポンプは下方の固定板上に支持され、同時に上方から仮置き台に押えられる。これによって、ポンプは上下から挟持された状態で本体ケース内に固定される。
【先行技術文献】
【特許文献】
【０００５】
【特許文献１】特開２００３−１８５２７２号公報
【発明の概要】
【発明が解決しようとする課題】
【０００６】
しかし、上記従来の給湯装置では、ポンプ用の仮置き台を設けるために、仮置き台の設置スペースを本体ケース内に確保する必要があり、コストの削減や小型化が困難となる。
【０００７】
また、コストの削減や小型化のために仮置き台を設けない場合、仮に、ポンプを天板（上面板）や底板（下面板）に支持すると、その面積が比較的大きいことによりポンプの荷重で撓み易いだけでなく、ポンプの作動時に大きく振動するおそれがある。
【０００８】
上記の点に鑑み、本発明は、本体ケースの撓みや振動の発生を小として循環ポンプを設けることができ、更に、コストを低減して小型化が可能となる給湯装置を提供することを目的とする。
【課題を解決するための手段】
【０００９】
かかる目的を達成するために、本発明は、水を加熱して湯を生成する加熱部と、該加熱部で生成された湯を循環させる循環ポンプと、前記加熱部及び前記循環ポンプを収容する直方体状の本体ケースとを備え、前記本体ケースの最も短い辺が高さ方向となる姿勢で設置される給湯装置において、前記本体ケースは、前記最も短い辺を有する矩形板状の４つの側板によって構成される四角筒状の胴部と、該胴部の下面を閉塞する下面板と、該下面板の上方に対向して前記胴部の上面を閉塞する上面板とを備え、前記循環ポンプは、前記胴部を構成する側板のうち、最も水平方向の長さの短い側板の内面に連結して支持されていることを特徴とする。
【００１０】
本発明における本体ケースの胴部は、最も短い辺を有する矩形板状の４つの側板で構成される。この４つの側板は、下面板や上面板と比べて面積が小さいことにより、同じ肉厚材料の場合、剛性が高い。更に、胴部を構成する４つの側板のうち、最も水平方向の長さの短い側板は、他の側板よりも面積が小さいことにより、剛性が最も高い。
【００１１】
このように剛性の高い側板を選択してその内面に循環ポンプを連結支持したことにより、循環ポンプの荷重による撓みや循環ポンプの作動時の振動を抑えることができる。そして、剛性の高い側板に循環ポンプを支持させたことにより、当該側板以外の方向から循環ポンプを支持するための部品（従来の仮置き台等）を設ける必要がなく、コストを低減して小型化が可能となる。
【００１２】
また、本発明の給湯装置において、前記循環ポンプは、固定脚部を備え、前記側板は、その内面に前記固定脚部を連結する連結構造体を備え、前記連結構造体は、前記側板の内面に固定された矩形板状の台座部材と、前記固定脚部に取り付けて、前記台座部材に重合させる板状の重合部材と、前記台座部材に設けられ、前記重合部材の一側縁部と他側縁部との夫々を係止して保持する一対の係止保持部を備え、少なくとも一方の前記係止保持部は、前記台座部材に着脱自在に取り付けられていることを特徴とする。
【００１３】
本発明によれば、循環ポンプを上記の構成による連結構造体を介して本体ケースの側板に連結支持させた。これにより、循環ポンプを取り付けた側板が連結構造体によって補強され、本体ケースの撓みや振動の発生を一層小とすることができる。
【００１４】
更に、前記台座部材は、該台座部材に着脱自在に取り付ける前記係止保持部を当接させる当接部と、該当接部に当接させた状態の前記係止保持部を該当接部に締結する締結部材と、前記当接部に当接させた前記係止保持部を、前記当接部に未締結状態で係止することにより仮止めする仮止め係止部とを備えることを特徴とする。
【００１５】
本発明によれば、循環ポンプに固定した重合部材を係止保持部に保持させ、この係止保持部を当接部に当接させた状態で、仮止め係止部によって仮止めすることができる。これにより、締結部材によって係止保持部と当接部とを締結するに先立って、係止保持部と当接部とを仮止めしておくことができるので、締結作業時に、作業者による循環ポンプの保持が不要となり、循環ポンプの側板への取り付け作業を極めて容易に行うことができる。
【図面の簡単な説明】
【００１６】
【図１】本発明の実施形態における給湯装置の設置状態を示す説明的側面図。
【図２】本実施形態の給湯装置の外観を示す斜視図。
【図３】本体ケースの前面パネルを取り除いて給湯装置本体を示す説明的正面図。
【図４】本体ケースにおける循環ポンプの支持状態を示す説明的斜視図。
【図５】連結構造体の構成を示す分解斜視図。
【図６】連結構造体による循環ポンプの連結状態を示す斜視図。
【図７】給湯装置の設置状態に対する循環ポンプの位置を模式的に示す図。
【発明を実施するための形態】
【００１７】
本発明の一実施形態を図面に基づいて説明する。本発明の給湯装置１は、所謂天井設置型給湯装置であり、本実施形態における給湯装置１は、図１に示すように、ベランダ２の天井３に形成された空間である収納部４に設置されている。収納部４には、給湯装置１を載置する載置板５が設けられている。収納部４は、図中左側及び手前側が開放され、図中右側及び奥側が壁面で閉塞されている。
【００１８】
給湯装置１は、図２に示すように、直方体状の本体ケース６を備えている。本体ケース６は、図１及び図２に示すように、最も短い辺が高さ方向となる姿勢で設置され、高さ方向に交差する側の一側面が前面とされる。
【００１９】
図１に示した給湯装置１の設置状態においては、給湯装置１の本体ケース６は、図中左方に前面を向けている。本体ケース６は、後述する前面パネル２５を取り外すことにより、図３に示すように、前面を開放することができる。
【００２０】
本体ケース６の内部には、図３に示すように、給湯装置本体７が収容されている。給湯装置本体７は、燃焼筐１０、熱交換器１１、及び給排気筒１２が横並びに配置して構成される。燃焼筐１０には、図示しないガスバーナが収容されている。ガスバーナ、燃焼筐１０、及び熱交換器１１は本発明における加熱部を構成している。
【００２１】
更に、給湯装置本体７は、ガスバーナに燃料ガスを供給する燃料ガス供給管１４の開閉や燃料ガス流量の調節を行うバルブユニット１５を備えている。熱交換器１１には、給水管１６及び出湯管１７が接続されている。出湯管１７には、図外の給湯回路が接続される。また、給湯装置本体７は、給湯を停止している給湯回路に湯を循環させて即時出湯させる循環ポンプ１８を備えている。
【００２２】
循環ポンプ１８は、給湯回路に接続されて給湯回路内を循環した湯が戻る循環戻り管１９を備え、循環戻り管１９は、エア抜きを行うための気液分離器２０及びエア抜き弁２１を備えている。気液分離器２０及びエア抜き弁２１により循環ポンプ１８のエア噛みが防止される。
【００２３】
本体ケース６は、４つの側板によって構成される四角筒状の胴部６０（図２参照）と、図３及び図４に示すように、胴部６０の下面を閉塞する下面板６１と、図２〜図４に示すように、胴部６０の上面を閉塞する上面板６２とを備えている。胴部６０は、胴部６０の前面をビス止めにより取り外し自在に覆う前面パネル２５と、図３に示すように、給排気筒１２が配設される排気側板６３と、燃料ガス供給管１４、給水管１６、出湯管１７、循環戻り管１９の夫々の接続端子部１４ａ，１６ａ，１７ａ，１９ａが配設される接続側板６４と、図４に示すように、前面パネル２５に対向する背面板６５で構成される。即ち、本実施形態において、胴部６０を構成する４つの側板は、前面パネル２５、排気側板６３、接続側板６４及び背面板６５であり、何れも最も短い辺を有する矩形板状である。
【００２４】
そして、排気側板６３と接続側板６４とは、何れも、前面パネル２５や背面板６５に比べて水平方向の長さが短い。即ち、排気側板６３と接続側板６４とは、最も水平方向の長さが短い側板である。
【００２５】
図４に示すように、循環ポンプ１８は、循環戻り管１９（図３参照）を接続するポンプ吸引口１８ｂを前方に向けた姿勢で、接続側板６４の内面に取り付けられている。接続側板６４は、その高さ方向に延びる最も短い辺を有し、水平方向の長さが短い側板の１つである。このため、接続側板６４は、下面板６１や上面板６２に比べて面積が小さく、同じ厚み寸法であるとき、最も撓み剛性が高い。
【００２６】
これにより、接続側板６４に循環ポンプ１８を取り付けたとき、循環ポンプ１８の荷重に伴う接続側板６４の撓みや、循環ポンプ１８の作動時に生じる振動は他の側板に循環ポンプ１８を取り付けた場合に比べて小さい。
【００２７】
また、循環ポンプ１８は、図５に示すように、固定脚部１８ａを備えている。接続側板６４の内面の循環ポンプ１８を取り付ける位置には、内方に向かって隆起する隆起部６４ａが絞り加工等により形成されている。循環ポンプ１８の固定脚部１８ａは、図６に示すように、連結構造体３０を介して接続側板６４の隆起部６４ａに支持される。
【００２８】
連結構造体３０は、図５及び図６に示すように、台座部材３１と重合部材３２とで構成されている。台座部材３１は、接続側板６４の隆起部６４ａに固定され、重合部材３２は循環ポンプ１８の固定脚部１８ａに固定される。重合部材３２の四隅部の夫々には保持ブロック３２ａが設けられている。各保持ブロック３２ａは循環ポンプ１８の作動時の振動を抑制する合成樹脂材料によって形成されている。
【００２９】
台座部材３１は、隆起部６４ａに固定される固定板部３１ａと、前方側で２つの保持ブロック３２ａを保持する第１係止保持部３１ｂと、後方側（背面板６５側）で２つの保持ブロック３２ａを保持する第２係止保持部３１ｃとを備えている。第１係止保持部３１ｂは、台座部材３１に着脱自在に取り付けられている。
【００３０】
図５に示すように、台座部材３１は、固定板部３１ａから直角に折り曲げ形成されて第１係止保持部３１ｂを当接する当接部３１ｄを備えている。第１係止保持部３１ｂは、当接部３１ｄに当接させてネジ部材３１ｅ（締結部材）によって締結することで、図６に示すように、台座部材３１に着脱自在に固定される。
【００３１】
また、当接部３１ｄの先端縁には、前方に向かって延びる爪片３１ｆ（仮止め係止部）が設けられている。爪片３１ｆは、第１係止保持部３１ｂが当接部３１ｄに当接したとき、固定板部３１ａと対向する方向から第１係止保持部３１ｂに当接する。これにより、当接部３１ｄに当接した状態の第１係止保持部３１ｂは固定板部３１ａと爪片３１ｆとに挟持されるようにして仮止めされる。
【００３２】
循環ポンプ１８の接続側板６４への取り付け作業の際には、先ず、循環ポンプ１８の固定脚部１８ａに固定した重合部材３２の後端側（背面板６５側）の２つの保持ブロック３２ａを、台座部材３１の固定板部３１ａの後端側（背面板６５側）に形成されている第２係止保持部３１ｃに差し込むようにして係止させる。
【００３３】
次いで、台座部材３１の固定板部３１ａに重合部材３２を重合させる。続いて、第１係止保持部３１ｂを当接部３１ｄに当接させる。これにより、重合部材３２の前端側の２つの保持ブロック３２ａが第１係止保持部３１ｂにより係止され、この状態は、ネジ部材３１ｅ（締結部材）により第１係止保持部３１ｂを台座部材３１に固定するに先立ち、爪片３１ｆによって仮止め状態が維持される。これにより、作業者は仮止め状態の循環ポンプ１８を手で支えておく必要がないので、ネジ部材３１ｅの取り付け作業を極めて容易に行うことができる。
【００３４】
また、図１に示す給湯装置１の設置状態においては、図２及び図３に示すように、本体ケース６の向かって右側に給排気筒１２が位置し、左側に各管の接続端子部１４ａ，１６ａ，１７ａ，１９ａが位置する。そして、本実施形態の給湯装置１は、天地方向を反転させることで、本体ケース６の向かって右側に各管の接続端子部１６ａ，１７ａ，１９ａ等が位置し、左側に給排気筒１２が位置するようにすることもでき、これによって設置場所に容易に対応させることができる。
【００３５】
このとき、図７Ａに示すように、比較的重量のある循環ポンプ１８が本体ケース６で最も剛性の高い接続側板６４に支持されていることにより、図７Ｂに示すように、天地を反転させた場合であっても、循環ポンプ１８が本体ケース６で最も剛性の高い接続側板６４に支持された状態が維持される。
【００３６】
これによって、接続側板６４のみで循環ポンプ１８を支えることができ、例えば、比較的撓みの大きい下面板６１に循環ポンプ１８を支持させた場合のように、天地を反転させることを考慮して上面板６２側にも循環ポンプ１８を支持するための他の部材等を設けることが不要となる。よって、循環ポンプ１８を接続側板６４に支持することで、部品点数も少なく、また省スペース化できて、給湯装置１をコンパクトに形成することができる。
【００３７】
また、本実施形態の給湯装置１においては、ベランダ２の天井３に設置されている例を示したが、これ以外に、図示しないが、本発明の給湯装置は、屋内の天井裏や、システムキッチンの天井側或いはシンク下の収納空間等に設置することもできる。
【符号の説明】
【００３８】
１…給湯装置、６…本体ケース、９…ガスバーナ（加熱部）、１０…燃焼筐（加熱部）、１１…熱交換器（加熱部）、１８…循環ポンプ、１８ａ…固定脚部、３０…連結構造体、３１…台座部材、３２…重合部材、３１ｂ…第１係止保持部（係止保持部）、３１ｃ…第２係止保持部（係止保持部）、６０…胴部、６１…下面板、６２…上面板、２５…前面パネル（側板）、６３…排気側板（側板）、６４…接続側板（側板）、６５…背面板（側板）、３１ｄ…当接部、３１ｅ…ネジ部材（締結部材）、３１ｆ…爪片（仮止め係止部）。
【図１】
2019015429.tif 000003
【図２】
2019015429.tif 000004
【図３】
2019015429.tif 000005
【図４】
2019015429.tif 000006
【図５】
2019015429.tif 000007
【図６】
2019015429.tif 000008
【図７】
2019015429.tif 000009